(57)【要約】【課題】鳥や小動物の侵入を簡易かつ良好に防止して、耐久性を向上させることができる換気ガラリ及び換気ガラリの施工方法を提供する。【解決手段】換気ガラリ１０は、換気ガラリ本体１１と、防鳥材２０とを備える。換気ガラリ本体１１は、換気ダクト３内に挿通される筒状部１２と、筒状部１２の外周に設けられて外壁２の外面に沿って配置されるフランジ部１３と、外壁２から屋外に突出して配置されるフード部１４と、を備えて構成される。防鳥材２０は、外壁２側から屋外の方向に向かって下降するように傾斜する傾斜部２１ｂを有する防鳥本体２１と、フード部１４の外周に着脱自在に取り付けられる取付部材２２と、防鳥本体２１とフード部１４との間隙に配置されるガード部材２３と、を備えて構成される。防鳥材２０は、固定ねじ２５によって取付部材２２に、傾斜部２１ｂの角度を調整自在に固定されている。【選択図】図２
2019207041.tif 000002
【特許請求の範囲】
【請求項１】
建物の屋外と屋内とを連通する換気ダクトに取り付けられる換気ガラリ本体と、
前記換気ガラリ本体に取り付けられる防鳥材と、を備え、
前記換気ガラリ本体は、
前記換気ダクト内に挿通される筒状部と、
前記筒状部の外周に設けられて外壁の外面に沿って配置されるフランジ部と、
前記外壁から前記屋外に突出して配置されるフード部と、を備えて構成され、
前記防鳥材は、
前記外壁側から前記屋外の方向に向かって下降するように傾斜する傾斜部を有する防鳥本体と、
前記フード部の外周に着脱自在に取り付けられる取付部材と、
前記防鳥本体と前記フード部との間隙に配置されるガード部材と、を備えて構成され、
前記防鳥本体は、固定部材によって前記取付部材に、前記傾斜部の角度を調整自在に固定されていることを特徴とする換気ガラリ。
【請求項２】
前記ガード部材は、前記防鳥本体と前記フード部との間隙を塞ぐように垂直に立ち上がる垂直壁と、前記取付部材に固定される固定片と、を有する構成であることを特徴とする請求項１に記載の換気ガラリ。
【請求項３】
前記傾斜部の上端縁と前記外壁との間隙を、８ｍｍ以下とすることを特徴とする請求項１又は２に記載の換気ガラリ。
【請求項４】
前記防鳥本体は、前記外壁側に、前記傾斜部の上端縁から下方に延びる背面部を有し、前記傾斜部と前記背面部とのなす角度を鋭角としたことを特徴とする請求項１〜３のいずれか一項に記載の換気ガラリ。
【請求項５】
前記換気ガラリ本体は、前記フード部を覆うカバー部材を備え、前記防鳥本体の前記傾斜部は、下端側が前記カバー部材の上方に張り出される長さを有することを特徴とする請求項１〜４のいずれか一項に記載の換気ガラリ。
【請求項６】
請求項１〜５のいずれか一項に記載の換気ガラリの施工方法であって、
前記換気ダクトに前記筒状部を挿入して前記換気ガラリ本体を前記外壁に取り付ける工程と、
前記防鳥材の前記傾斜部の角度を調整可能となるように前記固定部材を緩める工程と、
前記換気ガラリ本体の前記フード部の外周に、前記取付部材を取り付ける工程と、
前記傾斜部の角度を調整して、前記傾斜部の下端側を前記フード部の上方に張り出して配置する工程と、
前記固定部材を締め付けて、前記防鳥本体を前記取付部材に固定する工程と、
を有することを特徴とする換気ガラリの施工方法。
【発明の詳細な説明】
【技術分野】
【０００１】
本発明は、建物の外壁に設けられた換気ダクトに設置される換気用ガラリ及び換気ガラリの施工方法に関する。
【背景技術】
【０００２】
従来、建物の外部と室内との間で換気を行うため、外壁に設けられた換気ダクトに設置される換気ガラリが知られている（例えば、特許文献１参考）。この換気ガラリは、ベントキャップとも呼ばれる。
【０００３】
特許文献１には、上下左右から吹き込む雨水が換気ダクト内に侵入するのを抑制するため、平板状の防雨板と雨樋形状の防雨板を多段重ねに配置した上面防雨板を前面フード内の上部内側に設け、平板状の防雨板を多段重ねに配置した下面防雨板を下部内側に設け、前面フードの側部に開口した外気開口窓に側面防雨板を配設した構成の換気ガラリが開示されている。
【０００４】
このような換気ガラリでは、多段重ねにした防雨板の隙間から鳥や小動物、虫等が換気ダクト内に侵入する可能性があるため、特許文献１には、換気ガラリの内部に防鳥網や防虫網を設けた実施形態も開示されている。
【先行技術文献】
【特許文献】
【０００５】
【特許文献１】特許第４７０８５８２号公報
【発明の概要】
【発明が解決しようとする課題】
【０００６】
しかしながら、特許文献１のような防鳥網や防虫網では、鳥等が換気ガラリ内へ侵入したり、鳥等が換気ガラリに留まったりするのを防止することは困難で、換気ガラリの破損や汚染を招くおそれがある。また、防鳥網や防虫網は、埃による目詰まりを清掃する手間や、この清掃のための換気ガラリの取り外しや取り付けの手間もかかる。
【０００７】
そこで、本発明は、鳥や小動物の侵入を簡易かつ良好に防止して、耐久性を向上させることができる換気ガラリ及び換気ガラリの施工方法を提供することを目的としている。
【課題を解決するための手段】
【０００８】
前記目的を達成するために、本発明の換気ガラリは、建物の屋外と屋内とを連通する換気ダクトに取り付けられる換気ガラリ本体と、前記換気ガラリ本体に取り付けられる防鳥材と、を備え、前記換気ガラリ本体は、前記換気ダクト内に挿通される筒状部と、前記筒状部の外周に設けられて外壁の外面に沿って配置されるフランジ部と、前記外壁から前記屋外に突出して配置されるフード部と、を備えて構成され、前記防鳥材は、前記外壁側から前記屋外の方向に向かって下降するように傾斜する傾斜部を有する防鳥本体と、前記フード部の外周に着脱自在に取り付けられる取付部材と、前記防鳥本体と前記フード部との間隙に配置されるガード部材と、を備えて構成され、前記防鳥本体は、固定部材によって前記取付部材に、前記傾斜部の角度を調整自在に固定されていることを特徴とする。
【０００９】
また、前記ガード部材は、前記防鳥本体と前記フード部との間隙を塞ぐように垂直に立ち上がる垂直壁と、前記取付部材に固定される固定片と、を有する構成とすることができる。さらに、前記傾斜部の上端縁と前記外壁との間隙が、８ｍｍ以下とすることができる。また、前記防鳥本体は、前記外壁側に、前記傾斜部の上端縁から下方に延びる背面部を有し、前記傾斜部と前記背面部とのなす角度を鋭角とすることができる。また、前記換気ガラリ本体は、前記フード部を覆うカバー部材を備え、前記防鳥本体の前記傾斜部は、下端側が前記カバー部材の上方に張り出される長さを有するものとすることができる。
【００１０】
また、本発明の換気ガラリの施工方法は、上記のような換気ガラリの施工方法であって、前記換気ダクトに前記筒状部を挿入して前記換気ガラリ本体を前記外壁に取り付ける工程と、前記防鳥材の前記傾斜部の角度を調整可能となるように前記固定部材を緩める工程と、前記換気ガラリ本体の前記フード部の外周に、前記取付部材を取り付ける工程と、前記傾斜部の角度を調整して、前記傾斜部の下端側を前記フード部の上方に張り出して配置する工程と、前記固定部材を締め付けて、前記防鳥本体を前記取付部材に固定する工程と、を有することを特徴とする。
【発明の効果】
【００１１】
このように構成された本発明では、防鳥材によって、鳥が換気ガラリに留まるのを防止することができる。また、防鳥本体と換気ガラリ本体との隙間に設けたガード部材により、正面や左右から鳥や小動物が換気ガラリ本体内や換気ダクト内に侵入するのを防止することができる。したがって、鳥や小動物の侵入を簡易かつ良好に防止して、耐久性を向上させることができる。
【図面の簡単な説明】
【００１２】
【図１】本願の実施の形態に係る換気ガラリの斜視図である。
【図２】図１に示される換気ガラリと、この換気ガラリを取付けた外壁の一部を切欠いた側面図と、換気ガラリの防鳥本体の短手方向断面図である。
【図３】図１に示される防鳥材の斜視図である。
【図４】図３に示されるガード部材と、このガード部材が固定された取付部材の正面図及び側面図である。
【発明を実施するための形態】
【００１３】
以下、本願の実施の形態について、図面を参照して説明する。図１、図２に示すように、本実施の形態の換気ガラリ１０は、建物１の外壁２に設けられた換気ダクト３に取り付けられる。この換気ダクト３は、建物１の屋外（外部）と屋内（室内）とを連通し、外気を屋内に取り込むためのものであり、図２に示すように、外壁２に開口された開口部４に臨んで配置されている。本実施の形態では、換気ダクト３を正面視矩形の筒形とし、これに対応して開口部４も正面視矩形としているが、この構成に限定されるものではなく、矩形以外の多角形としてもよいし、正面視円形又は楕円形としてもよい。
【００１４】
換気ガラリ１０は、外壁２に取り付けられる換気ガラリ本体１１と、換気ガラリ本体１１に取り付けられる防鳥材２０と、を備えて構成される。
【００１５】
本明細書では、外壁２を介して屋外の方向を前方、屋内の方向を後方として、各部材の構成を説明する。
【００１６】
換気ガラリ本体１１は、開口部４及び換気ダクト３内に挿入される筒状部１２と、この筒状部１２の外周に径方向に突出して設けられて外壁２の外面に沿って配置されるフランジ部１３と、このフランジ部１３の前方に設けられて外壁２から屋外に突出して配置されるフード部１４と、このフード部１４に取り付けられてフード部１４の前面を覆うカバー部材１５と、を備えている。
【００１７】
本実施の形態では、正面視矩形の筒形の換気ダクト３に対応させて、筒状部１２を正面視矩形の筒形とし、フランジ部１３、フード部１４及びカバー部材１５を、正面視矩形としている。なお、これらの部材の形状が矩形に限定されるものではなく、換気ダクト３や開口部４の形状や機能、デザイン等に応じて、適宜の形状とすることができる。
【００１８】
フード部１４には、図４に仮想線で示すように、複数の換気口１４ａが開口されている。この換気口１４ａには、鳥や小動物の侵入を防ぐための網材などを設けてもよい。また、フード部１４の両側には、防鳥材２０を取り付けるための一対の係合突起１４ｂ，１４ｂが設けられている。
【００１９】
カバー部材１５は、換気ガラリ本体１１内への風雨や小動物等の侵入を防止するためにフード部１４の前面に取り付けられる部材である。この侵入防止効果を高めるため、カバー部材１５はフード部１４よりも上下左右方向の長さが長尺で、サイズが一回り大きくなっている。
【００２０】
また、カバー部材１５は、複数の板状部材１５ａが、間隔を於いて多段重ねに配置されて構成され、板状部材１５ａの間隙に、通気口１５ｂがそれぞれ設けられている。また、カバー部材１５の上面には、図２に示すように、外壁２側から前方に向かって下方に傾斜する傾斜面１５ｃが設けられている。この傾斜面１５ｃにより、雨水を外壁２の前方に流下させることができるとともに、鳥等がカバー部材１５に留まるのを防止することもできる。
【００２１】
防鳥材２０は、図２等に示すように、屋外に突出するフード部１４の上方に配置される防鳥本体２１と、防鳥本体２１を換気ガラリ本体１１に取り付けるための取付部材２２と、取付部材２２に固定されたガード部材２３と、を備えている。防鳥材２０と、取付部材２２の基板部２２ａ及びガード部材２３の左右方向の長さは、カバー部材１５の左右方向の長さと略同一となっている。
【００２２】
防鳥本体２１は、板部材を側面視略Λ字形（逆Ｖ字形）に折り曲げた形状を呈しており、頂部上端縁２１ａから前方に向かって下降するように傾斜する傾斜部２１ｂと、この傾斜部２１ｂの後方に配置されて頂部上端縁２１ａから下方に延びる背面部２１ｃと、を有している。傾斜部２１ｂと背面部２１ｃとのなす角度は鋭角とされ、鳥等が防鳥本体２１に留まりにくい形状となっている。
【００２３】
防鳥本体２１の両側には、一対の接続片２４，２４が設けられている。この一対の接続片２４，２４は、それぞれ固定部材としての固定ねじ２５，２５によって取付部材２２の上端両側に固定され、風雨等による不測の回転移動が防止されている。なお、固定ねじ２５，２５を緩めることで、取付部材２２に対して防鳥本体２１を回動させることが可能となり、傾斜部２１ｂの角度を自在に調整できるようになっている。
【００２４】
また、傾斜部２１ｂの下面（内面）には、制振材２６が貼り付けられている。この制振材２６としては、例えば、アルミ箔にブチルゴムを貼り付けた制振テープ等を好適に用いることができる。本実施の形態では、制振材２６は、防鳥材２０の製造時に予め貼り付けられているが、使用時に傾斜部２１ｂに貼り付ける仕様としてもよい。このように制振材２６を設けることで、風雨等による防鳥本体２１の振動や振動音を抑制することができる。
【００２５】
取付部材２２は、正面視門型であり、フード部１４の上方に配置されて左右方向に延びる基板部２２ａと、この基板部２２ａの両側から下方に延びる一対の取付片２２ｂ，２２ｂと、を備えている。この一対の取付片２２ｂ，２２ｂは、図４に示すように、板部材が凹凸状に折り曲げられた形状を呈し、基板部２２ａとの間でガード部材２３を挟持して固定する一対の固定部２２ｃ，２２ｃと、フード部１４の両側に設けられた一対の係合突起１４ｂ，１４ｂを係合する一対の係合凹部２２ｄ，２２ｄが設けられている。
【００２６】
ガード部材２３は、図２、図４に示すように、板状部材を、両端部から所定長さまでを側面視コ字形に、中央は側面視Ｌ字形（逆Ｌ字形）に折り曲げた形状を呈している。つまり、ガード部材２３は、防鳥本体２１とフード部１４との間隙を塞ぐように垂直に立ち上がる垂直壁２３ｂと、この垂直壁２３ｂから取付部材２２に向かって水平に延びる上部固定片２３ａと、垂直壁２３ｂの下端両側から取付部材２２に向かって水平に延びる一対の下部固定片２３ｃ，２３ｃと、を有して構成される。
【００２７】
また、小動物等が侵入する隙間が介在しないように、垂直壁２３ｂは、その下端がフード部１４の上面にほぼ当接するような寸法と位置合わせとされている。また、垂直壁２３ｂの中央には、切欠部２３ｄが設けられている。
【００２８】
このような構成のガード部材２３の上部固定片２３ａと一対の下部固定片２３ｃ，２３ｃとが、取付部材２２の基板部２２ａと一対の固定部２２ｃ，２２ｃとの間に挿入されている。上部固定片２３ａと基板部２２ａとの当接面、及び下部固定片２３ｃ，２３ｃと固定部２２ｃ，２２ｃとの当接面が、各々溶接等によって接続されることで、ガード部材２３が取付部材２２に一体に固定されている。
【００２９】
以下上述のような構成の換気ガラリ１０の施工手順を説明する。まず、換気ガラリ本体１１の筒状部１２を、開口部４を介して換気ダクト３内に挿入し、図１、図２のように、換気ガラリ本体１１を外壁２の換気ダクト３に取り付ける。また、換気ガラリ本体１１のフード部１４の前面に、カバー部材１５を取り付ける。なお、カバー部材１５は後で取り付けてもよい。
【００３０】
次に、換気ガラリ本体１１に防鳥材２０を取り付ける。それには、まず防鳥本体２１の接続片２４，２４と取付部材２２とを固定する固定ねじ２５，２５を緩め、防鳥本体２１が固定ねじ２５，２５を中心に前後方向へ回転移動できるようにする。
【００３１】
次に、取付部材２２の一対の取付片２２ｂ，２２ｂを外方に弾性変形させて間隔を拡げ、換気ガラリ本体１１のフード部１４の外周に配置する。そして、一対の取付片２２ｂ，２２ｂを縮径させて復元しつつ、係合凹部２２ｄ，２２ｄに、フード部１４の係合突起１４ｂ，１４ｂを係合させることにより、フード部１４に防鳥材２０を取り付ける。このとき、傾斜部２１ｂの先端（下端）が、カバー部材１５の上方（外側）に位置するように、防鳥本体２１の角度を調整しながら取り付ける。
【００３２】
なお、カバー部材１５がフード部１４に取り付けられていないときは、カバー部材１５をフード部１４に取り付ける。このとき、防鳥本体２１の傾斜部２１ｂの先端が、カバー部材１５の上方に位置するように調整する。
【００３３】
次に、図２に示す防鳥本体２１の頂部上端縁２１ａと外壁２との間隔Ｄが、８ｍｍ以下となり、かつ傾斜部２１ｂの先端がカバー部材１５の上方に張り出して配置されるように、防鳥本体２１の角度を調整する。この角度調整が完了したら、固定ねじ２５，２５を締め付けて、防鳥本体２１が不測に回転移動しないように取付部材２２に固定する。以上で防鳥材２０の換気ガラリ本体１１への取り付けが完了し、防鳥本体２１とフード部１４との隙間が、ガード部材２３で閉塞され、鳥や小動物の換気ガラリ本体１１への侵入を防止することができる。
【００３４】
次に、本実施の形態の換気ガラリ１０の作用効果について説明する。本実施の形態の換気ガラリ１０は、建物１の屋外と屋内とを連通する換気ダクト３に取り付けられる換気ガラリ本体１１と、換気ガラリ本体１１に取り付けられる防鳥材２０と、を備える。換気ガラリ本体１１は、換気ダクト３内に挿通される筒状部１２と、筒状部１２の外周に設けられて外壁２の外面に沿って配置されるフランジ部１３と、外壁２から屋外に突出して配置されるフード部１４と、を備えて構成される。防鳥材２０は、外壁２側から屋外の方向に向かって下降するように傾斜する傾斜部２１ｂを有する防鳥本体２１と、フード部１４の外周に着脱自在に取り付けられる取付部材２２と、防鳥本体２１とフード部１４との間隙に配置されるガード部材２３と、を備えて構成される。防鳥本体２１は、固定部材（例えば、固定ねじ２５）によって取付部材２２に、傾斜部２１ｂの角度を調整自在に固定されている。
したがって、本実施の形態によれば、防鳥材２０によって、鳥等が換気ガラリ１０に留まるのを防止することができる。また、防鳥本体２１と換気ガラリ本体１１との隙間にガード部材２３を設けただけの簡易な構成で、正面や左右から鳥や小動物が換気ガラリ本体１１内や換気ダクト３内に侵入するのを防止することができる。したがって、鳥や小動物の侵入を簡易かつ良好に防止して、耐久性を向上させることができる換気ガラリ１０を提供できる。
【００３５】
また、本実施の形態の換気ガラリ１０の施工方法は、換気ダクト３に筒状部１２を挿入して換気ガラリ本体１１を外壁２に取り付ける工程と、防鳥材２０の傾斜部２１ｂの角度を調整可能となるように固定部材（例えば、固定ねじ２５）を緩める工程と、換気ガラリ本体１１のフード部１４の外周に、取付部材２２を取り付ける工程と、傾斜部２１ｂの角度を調整して、傾斜部２１ｂの下端側をフード部１４の上面に張り出して配置する工程と、固定部材を締め付けて、防鳥本体２１を取付部材２２に固定する工程と、を有する。したがって、鳥や小動物の侵入を簡易かつ良好に防止して、耐久性を向上させることができる換気ガラリ１０を、簡易な工程で容易に施工することができる。
【００３６】
また、本実施の形態では、ガード部材２３は、防鳥本体２１とフード部１４との間隙を塞ぐように垂直に立ち上がる垂直壁２３ｂと、取付部材２２に固定される固定片（上部固定片２３ａ及び下部固定片２３ｃ）と、を有する構成としている。このような簡易な構成であっても、垂直壁２３ｂで小動物等の侵入を良好に防止することができるとともに、固定片によってガード部材２３を取付部材２２に簡易に固定することができる。
【００３７】
また、本実施の形態では、防鳥材２０の上端縁と外壁２との間隙を、８ｍｍ以下としていることから、防鳥本体２１と外壁２との間からの小動物等の侵入を防止することができ、換気ガラリ１０への小動物等の侵入防止効果を向上させることができる。
【００３８】
さらに、本実施の形態では、防鳥本体２１は、外壁２側に、傾斜部２１ｂの上端縁から下方に延びる背面部２１ｃを有し、傾斜部２１ｂと背面部２１ｃとのなす角度を鋭角としている。この構成により、防鳥本体２１に鳥等が留まりにくくなり、鳥よけ効果を向上させることができる。そのため、換気ガラリ１０の耐久性をより向上させることができるとともに、糞等による換気ガラリ１０の汚染も良好に防止することができる。
【００３９】
さらに、本実施の形態では、換気ガラリ本体１１は、フード部１４を覆うカバー部材１５を備えている。そして、防鳥本体２１の傾斜部２１ｂは、下端側がカバー部材１５の上面に張り出される長さを有している。このように傾斜部２１ｂの先端がカバー部材１５上面に張り出すことで、防鳥本体２１とカバー部材１５との間からの小動物等の侵入を防止することができる。さらに、傾斜部２１ｂを流下した雨水等が、カバー部材１５の内側に流下することなく、カバー部材１５の外面の傾斜面１５ｃを流下した後、落下する。そのため、風雨の換気ガラリ本体１１への侵入防止効果も向上させることができる。
【００４０】
以上、図面を参照して、本発明の実施の形態を詳述してきたが、具体的な構成は、この実施の形態に限らず、本発明の要旨を逸脱しない程度の設計的変更は、本発明に含まれる。
【符号の説明】
【００４１】
１  建物    ２  外壁    ３  換気ダクト    １０  換気ガラリ
１１  換気ガラリ本体    １２  筒状部    １３  フランジ部
１４  フード部    １５  カバー部材    １５ｃ  傾斜面
２０  防鳥材    ２１  防鳥本体    ２１ｂ  傾斜部    ２１ｃ  背面部
２２  取付部材    ２３  ガード部材    ２３ａ  上部固定片（固定片）
２３ｂ  垂直壁    ２３ｃ  下部固定片（固定片）
２５  固定ねじ（固定部材）
【図１】
2019207041.tif 000003
【図２】
2019207041.tif 000004
【図３】
2019207041.tif 000005
【図４】
2019207041.tif 000006